(57)【要約】【課題】コンロバーナ２と五徳３とを備えるガスコンロにおいて、コンロバーナ２のバーナヘッド２３がバーナボディ２２上に誤セットされたり、五徳３が天板１上に誤セットされたりして、五徳爪３２と同一方位のバーナヘッド２３の部分に炎口２３３が存在する状態になったときにこれを検知できるようにする。【解決手段】五徳３の少なくとも一部の温度、例えば、五徳枠３１の周方向１箇所の温度を検出する温度検出器６を設ける。五徳爪３２と同一方位のバーナヘッド２３の部分に炎口２３３が存在する状態になると、炎口２３３に形成される火炎が五徳爪３２に触れ、五徳爪３２が強く加熱されて五徳枠３１の温度も高温になり、これを温度検出器６で検出する。【選択図】図２
2019002666.tif 000002
【特許請求の範囲】
【請求項１】
天板に開設したバーナ用開口を通して天板上に露出するコンロバーナと、天板上に、コンロバーナを囲うようにして載置される、環状の五徳枠に複数の五徳爪を固定して成る五徳とを具備するガスコンロであって、コンロバーナは、バーナ用開口に挿通されるバーナボディと、バーナボディ上に載置されるバーナヘッドとを備え、バーナヘッドの下面外周部に周方向の間隔を存して垂設した歯部間の隙間で混合気が噴出する炎口が構成され、バーナヘッドがバーナボディ上に所定の正規位相で載置されると共に、五徳が天板上に所定の正規位相で載置されている状態では、各五徳爪と同一方位のバーナヘッドの部分に炎口が存在しないようにしたものにおいて、
五徳枠の少なくとも周方向１箇所の温度又は少なくとも１個の五徳爪の温度を検出する温度検出器が設けられることを特徴とするガスコンロ。
【請求項２】
前記温度検出器は、前記五徳枠の下に、五徳枠の温度を検出するように配置されることを特徴とする請求項１に記載のガスコンロ。
【請求項３】
前記五徳枠の下面に接する伝熱部材が設けられ、前記温度検出器により伝熱部材を介して間接的に五徳枠の温度を検出することを特徴とする請求項２記載のガスコンロ。
【請求項４】
前記温度検出器は赤外線センサで構成されることを特徴とする請求項２又は３に記載のガスコンロ。
【請求項５】
前記バーナヘッド及び前記五徳が夫々正規位相で載置されている状態を正規状態として、前記温度検出器の検出温度が、正規状態での燃焼時に温度検出器で検出される温度範囲の上限よりも高い所定の第１閾値以上になったときに、前記コンロバーナへのガス供給を停止することを特徴とする請求項１〜４の何れか１項記載のガスコンロ。
【請求項６】
前記バーナヘッド及び前記五徳が夫々正規位相で載置されている状態を正規状態として、点火から所定の待ち時間経過しても、前記温度検出器の検出温度が、正規状態で点火から所定の待ち時間経過したときに温度検出器で検出される温度よりも低い所定の第２閾値以下のときに、前記コンロバーナへのガス供給を停止することを特徴とする請求項２〜４の何れか１項記載のガスコンロ。
【発明の詳細な説明】
【技術分野】
【０００１】
本発明は、天板に開設したバーナ用開口を通して天板上に露出するコンロバーナと、天板上に、コンロバーナを囲うようにして載置される、環状の五徳枠に複数の五徳爪を固定して成る五徳とを具備するガスコンロに関する。
【背景技術】
【０００２】
一般的に、コンロバーナは、バーナ用開口に挿通されるバーナボディと、バーナボディ上に載置されるバーナヘッドとを備え、バーナヘッドの下面外周部に周方向の間隔を存して垂設した歯部間の隙間で混合気が噴出する炎口が構成されるようにしている。
【０００３】
ところで、バーナヘッドは、周囲１箇所に設けた径方向外方に突出するターゲット部がコンロバーナに付設する点火電極の上方に対向するように、所定の正規位相でバーナボディ上に載置する必要がある。そのため、一般的に、バーナボディとバーナヘッドとに、バーナヘッドがバーナボディ上に正規位相で載置されたときに嵌り合う凹部と凸部とを形成している（例えば、特許文献１参照）。
【０００４】
また、天板上に載置される五徳の各五徳爪と同一方位のバーナヘッドの部分に炎口が存在すると、炎口に形成される火炎が五徳爪に触れて不完全燃焼する。そこで、天板と五徳とに、五徳が天板上に所定の正規位相で載置されたときに嵌り合う凹部と凸部とを形成している。そして、バーナヘッドがバーナボディ上に正規位相で載置されると共に、五徳が天板上に正規位相で載置されている状態では、各五徳爪と同一方位のバーナヘッドの部分に炎口が存在しないようにしている。
【０００５】
ここで、バーナヘッドや五徳が正規位相で載置されていない誤セット状態であると、凸部が凹部に嵌合しないため、バーナヘッドや五徳が浮き、バーナヘッドや五徳が誤セット状態であることを視覚的に認識できる。然し、ユーザの中には、バーナヘッドや五徳が浮いていても異常だとは思わない人もいる。
【０００６】
そこで、従来、特許文献２により、バーナボディ上にバーナヘッドが正規位相で載置されたときにこれを検出するバーナヘッド検出手段を設け、この検出手段で不検出のとき、即ち、バーナヘッドの誤セット時は、コンロバーナを燃焼不能とするものが知られている。然し、これでは、バーナヘッドの誤セットは検知できても、五徳の誤セットは検知できず、五徳爪と同一方位のバーナヘッドの部分に炎口が存在する状態になってしまうことがある。
【先行技術文献】
【特許文献】
【０００７】
【特許文献１】特開平６−１８５７０７号公報
【特許文献２】特開２００６−２９６１２号公報
【発明の概要】
【発明が解決しようとする課題】
【０００８】
本発明は、以上の点に鑑み、バーナヘッドや五徳の誤セットで五徳爪と同一方位のバーナヘッドの部分に炎口が存在する状態になった場合にこれを検知できるようにしたガスコンロを提供することをその課題としている。
【課題を解決するための手段】
【０００９】
上記課題を解決するために、本発明は、天板に開設したバーナ用開口を通して天板上に露出するコンロバーナと、天板上に、コンロバーナを囲うようにして載置される、環状の五徳枠に複数の五徳爪を固定して成る五徳とを具備するガスコンロであって、コンロバーナは、バーナ用開口に挿通されるバーナボディと、バーナボディ上に載置されるバーナヘッドとを備え、バーナヘッドの下面外周部に周方向の間隔を存して垂設した歯部間の隙間で混合気が噴出する炎口が構成され、バーナヘッドがバーナボディ上に所定の正規位相で載置されると共に、五徳がコンロ天板上に所定の正規位相で載置されている状態では、各五徳爪と同一方位のバーナヘッドの部分に炎口が存在しないようにしたものにおいて、五徳枠の少なくとも周方向１箇所の温度又は少なくとも１個の五徳爪の温度を検出する温度検出器が設けられることを特徴とする。
【００１０】
ここで、バーナヘッドや五徳の誤セットで五徳爪と同一方位のバーナヘッドの部分に炎口が存在する状態になると、炎口に形成される火炎が五徳爪に触れて、五徳爪が強く加熱される。そして、五徳爪や五徳枠の温度は、バーナヘッド及び五徳が夫々正規位相で載置されている状態（正規状態）での燃焼時よりも高温になる。従って、本発明によれば、温度検出器で検出される五徳枠又は五徳爪の温度に基づいて、五徳爪と同一方位のバーナヘッドの部分に炎口が存在する状態になっている場合にこれを検知できる。例えば、温度検出手段の検出温度が、正規状態での燃焼時に温度検出器で検出される温度範囲の上限よりも高い所定の閾値以上になったときに、五徳爪と同一方位のバーナヘッドの部分に炎口が存在する状態になっていると判断できる。そして、温度検出器の検出温度が閾値以上になったときに、コンロバーナへのガス供給を停止することで、五徳爪と同一方位のバーナヘッドの部分に炎口が存在する状態、即ち、火炎が五徳爪に触れる状態になった場合のフェールセーフを図ることができる。
【００１１】
また、本発明において、温度検出器は、五徳枠の下に、五徳枠の温度を検出するように配置されることが望ましい。これによれば、煮こぼれ汁が温度検出器にかかることはなく、煮こぼれの影響で検出精度が悪化することを防止できる。この場合、五徳枠の下面に接する伝熱部材を設け、温度検出器により伝熱部材を介して間接的に五徳枠の温度を検出するようにしてもよい。
【００１２】
また、温度検出器を五徳枠の下に配置する場合は、温度検出器を赤外線センサで構成することが望ましい。これによれば、温度検出器を五徳枠或いは伝熱部材に密着させる必要がなく、温度検出器の取付位置が上下方向に多少ばらついても五徳枠の温度検出精度が悪化することはなく、信頼性が向上する。
【００１３】
更に、温度検出器を五徳枠の下に配置する場合、五徳が天板から浮いた状態で誤セットされると、五徳枠が温度検出器から離れて、点火しても温度検出器の検出温度が殆んど上昇しなくなる。そこで、点火から所定の待ち時間経過しても、温度検出器の検出温度が、正規状態で点火から所定の待ち時間経過したときに温度検出器で検出される温度よりも低い所定の第２閾値以下のときは、五徳が天板から浮いた状態で誤セットされていると判断して、コンロバーナへのガス供給を停止することが望ましい。
【図面の簡単な説明】
【００１４】
【図１】本発明の実施形態のガスコンロの要部の斜視図。
【図２】実施形態のガスコンロの切断側面図。
【図３】実施形態のガスコンロに設けられた温度検出器の検出温度の変化を示すグラフ。
【図４】実施形態のガスコンロで事項する安全制御の内容を示すフロー図。
【発明を実施するための形態】
【００１５】
図１、図２を参照して、本発明の実施形態のガスコンロは、コンロ本体（図示せず）の上面を覆う天板１に開設したバーナ用開口１１を通して天板１上に露出するコンロバーナ２と、天板１上に、コンロバーナ２を囲うようにして載置される五徳３とを備えている。天板１には、バーナ用開口１１とコンロバーナ２との間の隙間を上方から覆うバーナリング１２が装着されている。また、コンロバーナ２には、バーナリング１２を通して上方に突出する点火電極４と、バーナ中央空間を通して上方に突出し、五徳３に載置する調理容器の底面に当接してその温度を検知する鍋底温度センサ５とが付設されている。
【００１６】
五徳３は、環状の五徳枠３１と、五徳枠３１に放射状に取付けた複数の五徳爪３２とで構成される。五徳枠３１の内周縁には、周方向１箇所に切欠き部３１１が形成されている。そして、この切欠き部３１１に点火電極４を挿通することで、五徳３が所定の正規位相で天板１上に載置されるようにしている。尚、五徳枠３１は、バーナリング１２の上面に接触している。
【００１７】
コンロバーナ２は、混合管２１の下流端から上方にのびて、バーナ用開口１１に挿通されるバーナボディ２２と、バーナボディ２２上に載置されるバーナヘッド２３とを備えている。バーナボディ２２は、内筒２２１と外筒２２２とを有する、上向きに開口する中空環状の板金製であり、コンロ本体内に固定の図示省略した台枠に載置固定されている。バーナボディ２２の上端部外周、即ち、外筒２２２の上端には、径方向外方に張出すボディフランジ部２２３と、ボディフランジ部２２３の外周から下方にのびるスカート部２２４とが形成されている。
【００１８】
バーナヘッド２３は、環状であって、内周縁から下方にのびて、バーナボディ２２の内筒２２１に内嵌するシール筒部２３１を有する。バーナヘッド２３の下面外周部には、ボディフランジ部２２３に着座する歯部２３２が周方向の間隔を存して多数垂設されており、これら歯部２３２間の隙間で混合気が噴出する炎口２３３が構成される。各歯部２３２の下端面には、溝が形成されており、この溝により炎口２３３に比し極小さな保炎口２３４が構成される。また、バーナヘッド２３の周囲１箇所には、点火電極４の上方に対向するように径方向外方に突出するターゲット部２３５が設けられている。
【００１９】
更に、図示しないが、バーナボディ２２とバーナヘッド２３とに、ターゲット部２３５が点火電極４の上方に対向する正規位相でバーナヘッド２３をバーナボディ２２に載置したときに嵌り合う凹部と凸部とを設けている。ここで、バーナヘッド２３がバーナボディ２２上に正規位相で載置されると共に、五徳３が天板１上に正規位相で載置されている状態（以下、この状態を正規状態という）では、五徳爪３２と同一方位のバーナヘッド２３の部分に存在するのは歯部２３２であって、この部分に炎口２３３は存在しない。そのため、炎口２３３に形成される火炎が五徳爪３２に触れて不完全燃焼することはない。尚、歯部２３２の下端の保炎口２３４に形成される火炎は、極小さく五徳爪３２に触れない。
【００２０】
バーナヘッド２３がバーナボディ２２上に正規位相で載置されない誤セット状態であると、凸部が凹部に嵌合しないため、バーナヘッド２３が浮き、バーナヘッド２３が誤セット状態であることを視覚的に認識できる。また、五徳３が天板１上に正規位相で載置されない誤セット状態であると、点火電極４に五徳枠３１が干渉して五徳３が浮き、五徳３が誤セット状態であることを視覚的に認識できる。然し、ユーザの中には、バーナヘッド２３や五徳３が浮いていても異常だとは思わない人もいる。
【００２１】
そこで、本実施形態では、五徳枠３１の周方向１箇所の下に、五徳枠３１の当該箇所の温度を検出する温度検出器６を配置している。尚、本実施形態では、五徳枠３１の下面に接する伝熱部材たるバーナリング１２が設けられているため、温度検出器６によりバーナリング１２を介して間接的に五徳枠３１の温度が検出されることになる。
【００２２】
温度検出器６は、筒状のセンサケース６１内に赤外線検知素子６２を取付けた赤外線センサで構成されており、バーナリング１２の下面から放射される赤外線を検知して、バーナリング１２の温度を検出する。尚、温度検出器６の真上のバーナリング１２の部分に透孔を形成し、五徳枠３１の下面から放射される赤外線を赤外線センサで検知して、五徳枠３１の温度を直接検出することも可能である。
【００２３】
正規状態での燃焼時には、炎口２３３に形成される火炎が五徳爪３２に触れないため、五徳爪３２は強く加熱されない。そのため、五徳枠３１の温度は然程高くならず、温度検出器６の検出温度は図３にａ線で示すようになる。一方、バーナヘッド２３が誤セットされたり、五徳３が誤セットされたりして、五徳爪３２と同一方位のバーナヘッド２３の部分に炎口２３３が存在する状態になると、炎口２３３に形成される火炎が五徳爪３２に触れて、五徳爪３２が強く加熱される。その結果、五徳枠３１の温度がかなり高くなり、温度検出器６の検出温度は図３にｂ線で示すようになる。
【００２４】
以上の現象を利用して、本実施形態では、ガスコンロのコントローラにより図４に示す安全制御を行うようにした。この安全制御では、先ず、ＳＴＥＰ１で温度検出器６の検出温度Ｔが第１閾値ＹＴ１以上になったか否かを判別する。図３を参照して、第１閾値ＹＴ１は、正規状態での燃焼時に温度検出器６で検出される温度範囲の上限よりも高い所定温度に設定される。Ｔ＜ＹＴ１であれば、ＳＴＥＰ２に進み、温度検出器６の検出温度Ｔが第２閾値ＹＴ２を上回ったか否かを判別する。図３を参照して、第２閾値ＹＴ２は、正規状態で点火から所定の待ち時間ｔ１経過したときに温度検出器６で検出される温度よりも低い所定温度に設定される。Ｔ≦ＹＴ２であれば、ＳＴＥＰ３に進んで点火から待ち時間ｔ１経過したか否かを判別し、待ち時間ｔ１経過前はＳＴＥＰ１に戻ることを繰り返す。
【００２５】
ここで、五徳３が天板１から浮いた状態で誤セットされると、五徳枠３１が温度検出器６から離れて、点火しても温度検出器６の検出温度Ｔが殆んど上昇せず、点火から待ち時間ｔ１経過しても、温度検出器６の検出温度Ｔは第２閾値ＹＴ２以下になる。この場合は、ＳＴＥＰ３からＳＴＥＰ４に進み、コンロバーナ２へのガス供給路に介設した安全弁を閉弁させてコンロバーナ２へのガス供給を停止する。
【００２６】
また、点火から待ち時間ｔ１経過する前に温度検出器６の検出温度Ｔが第２閾値ＹＴ２を上回ったときは、ＳＴＥＰ２からＳＴＥＰ１に戻ることを繰り返す。そして、温度検出器６の検出温度Ｔが第１閾値ＹＴ１以上になったときに、ＳＴＥＰ１からＳＴＥＰ４に進んでコンロバーナ２へのガス供給を停止する。これにより、五徳爪３２と同一方位のバーナヘッド２３の部分に炎口２３３が存在する状態、即ち、火炎が五徳爪３２に触れる状態になった場合のフェールセーフを図ることができる。
【００２７】
以上、本発明の実施形態について図面を参照して説明したが、本発明はこれに限定されない。例えば、上記実施形態では、五徳枠３１の周方向１箇所の下方に温度検出器６を配置しているが、五徳枠３１の周方向複数個所の下方に夫々温度検出器６を配置してもよい。何れにしても、五徳枠３１の下に温度検出器６を配置すれば、煮こぼれ汁が温度検出器６にかかることがなく、煮こぼれの影響で検出精度が悪化することを防止できて有利である。
【００２８】
また、上記実施形態では、温度検出器６として赤外線センサを用いているが、サーミスタ等の赤外線センサ以外のものを用いることも可能である。但し、赤外線センサは五徳枠３１やバーナリング１２に密着させる必要がなく、センサ取付位置が上下方向に多少ばらついても五徳枠３１の温度検出精度が悪化せず、信頼性が向上する。そのため、温度検出器６として赤外線センサを用いることが望ましい。また、少なくとも１個の五徳爪３２にサーミスタ等の温度検出器を取付けて、五徳爪３２の温度を検出することも可能である。
【符号の説明】
【００２９】
１…天板、１１…バーナ用開口、１２…伝熱部材（バーナリング）、２…コンロバーナ、２２…バーナボディ、２３…バーナヘッド、２３２…歯部、２３３…炎口、３…五徳、３１…五徳枠、３２…五徳爪、６…温度検出器、Ｔ…温度検出器の検出温度、ＹＴ１…第１閾値、ＹＴ２…第２閾値、ｔ１…待ち時間。
【図１】
2019002666.tif 000003
【図２】
2019002666.tif 000004
【図３】
2019002666.tif 000005
【図４】
2019002666.tif 000006